(57)【要約】【課題】光源から放射される光のちらつきを低減可能な点灯装置及びそれを用いた照明器具を提供する。【解決手段】点灯装置１００は、点灯回路１０と制御回路２０を備える。制御回路２０は、制御信号を点灯回路１０へ出力する。制御回路２０は、電流Ｉａに基本周波数の周波数成分が含まれるか否かを判定し、かつ、電流Ｉａに臨界融合周波数以下の周波数の変動成分が含まれるか否かを判定する判定回路２６を備える。判定回路２６は、電流Ｉａに上記周波数成分が含まれる場合、電流Ｉａに変動成分が含まれるか否かを判定する。制御回路２０は、判定回路２６により電流Ｉａに上記周波数成分が含まれないと判定された場合と判定回路２６により電流Ｉａに変動成分が含まれると判定された場合との少なくとも一方の場合に、制御信号を変更する。【選択図】図１
2017120722.tif 000002
【特許請求の範囲】
【請求項１】
光源を点灯させる点灯回路と、前記点灯回路を制御する制御回路とを備え、
前記制御回路は、前記光源に流れる電流の電流値を第１電流値にするための第１制御信号と、前記電流値を前記第１電流値よりも小さな第２電流値にするための第２制御信号との少なくとも一方を含む制御信号を前記点灯回路へ出力するように構成され、
前記制御回路は、前記電流に基本周波数の周波数成分が含まれるか否かを判定し、かつ、前記電流に臨界融合周波数以下の周波数の変動成分が含まれるか否かを判定する判定回路を備え、
前記判定回路は、前記電流に前記周波数成分が含まれる場合、前記電流に前記変動成分が含まれるか否かを判定するように構成され、
前記制御回路は、前記判定回路により前記電流に前記周波数成分が含まれないと判定された場合と前記判定回路により前記電流に前記変動成分が含まれると判定された場合との少なくとも一方の場合に、前記点灯回路へ出力する前記制御信号を変更する
ことを特徴とする点灯装置。
【請求項２】
前記点灯回路は、スイッチング素子と、前記電流を検出する電流検出回路とを備え、
前記制御回路は、前記第１制御信号と前記第２制御信号とを交互に前記スイッチング素子へ出力して、前記電流値が前記第１電流値よりも小さくかつ前記第２電流値よりも大きな所定値となるように前記点灯回路をフィードバック制御するように構成され、
前記制御回路は、前記電流検出回路により検出された前記電流の前記電流値と前記所定値との差が規定値よりも大きい場合に、前記点灯回路をフィードバック制御する
ことを特徴とする請求項１記載の点灯装置。
【請求項３】
前記判定回路は、前記第１制御信号の出力期間と前記第２制御信号の出力期間とを組み合わせた１周期の逆数で表される周波数が前記臨界融合周波数以下である場合に、前記電流に前記変動成分が含まれると判定するように構成されている
ことを特徴とする請求項２記載の点灯装置。
【請求項４】
前記判定回路は、前記電流検出回路により検出された前記電流のリップルの周波数が前記臨界融合周波数以下である場合に、前記電流に前記変動成分が含まれると判定するように構成されている
ことを特徴とする請求項２記載の点灯装置。
【請求項５】
前記点灯回路は、前記電流を一定にする定電流回路と、外部からの調光信号の位相を検出する位相検出回路とを備え、
前記制御回路は、前記位相検出回路により検出された位相をサンプリングしてデジタル値に変換する変換部を備え、
前記制御回路は、前記第１制御信号と前記第２制御信号との少なくとも一方を含む制御信号を前記定電流回路へ出力して、前記電流が一定となるように前記点灯回路を制御するように構成され、
前記判定回路は、前記変換部により所定期間に変換された前記デジタル値が変動する周期の逆数で表される周波数が前記臨界融合周波数以下である場合に、前記電流に前記変動成分が含まれると判定するように構成されている
ことを特徴とする請求項１記載の点灯装置。
【請求項６】
前記制御回路は、前記判定回路により前記電流に前記周波数成分が含まれないと判定された場合と前記判定回路により前記電流に前記変動成分が含まれると判定された場合との少なくとも一方の場合に、前記第１制御信号と前記第２制御信号との一方を前記点灯回路へ出力する
ことを特徴とする請求項１ないし請求項５のいずれか１項に記載の点灯装置。
【請求項７】
前記制御回路は、前記判定回路により前記電流に前記周波数成分が含まれないと判定された場合と前記判定回路により前記電流に前記変動成分が含まれると判定された場合との少なくとも一方の場合に、前記第１制御信号の出力期間と前記第２制御信号の出力期間とを組み合わせた１周期を一定周期で繰り返し、かつ、前記１周期の逆数で表される周波数が前記臨界融合周波数よりも大きくなるように、前記第１制御信号と前記第２制御信号とを交互に前記点灯回路へ出力する
ことを特徴とする請求項１ないし請求項５のいずれか１項に記載の点灯装置。
【請求項８】
前記制御回路は、前記判定回路により前記電流に前記周波数成分が含まれないと判定された場合と前記判定回路により前記電流に前記変動成分が含まれると判定された場合との少なくとも一方の場合に、前記第１制御信号の出力期間と前記第２制御信号の出力期間との比率が一定になるように、前記第１制御信号と前記第２制御信号とを交互に前記点灯回路へ出力する
ことを特徴とする請求項７記載の点灯装置。
【請求項９】
前記制御回路は、前記判定回路により前記電流に前記周波数成分が含まれないと判定された場合と前記判定回路により前記電流に前記変動成分が含まれると判定された場合との少なくとも一方の場合に、前記第１制御信号の出力期間と前記第２制御信号の出力期間とが同じになるように、前記第１制御信号と前記第２制御信号とを交互に前記点灯回路へ出力する
ことを特徴とする請求項８記載の点灯装置。
【請求項１０】
請求項１ないし請求項９のいずれか１項に記載の点灯装置と、前記点灯装置により点灯可能な前記光源とを備えている
ことを特徴とする照明器具。
【発明の詳細な説明】
【技術分野】
【０００１】
本発明は、点灯装置及びそれを用いた照明器具に関する。
【背景技術】
【０００２】
従来、ＬＥＤ（Light Emitting Diode）の出力を制御する調光装置が提案されている（特許文献１）。
【０００３】
特許文献１記載の調光装置は、ＬＥＤ、定電流回路、ＰＷＭ（Pulse Width Modulation）電流制御回路、電流調整回路、調光制御回路、デューティ判定回路、及び定電圧電源回路を備えている。
【先行技術文献】
【特許文献】
【０００４】
【特許文献１】特開２００８−２１０５３７号公報
【発明の概要】
【発明が解決しようとする課題】
【０００５】
特許文献１記載の調光装置等の点灯装置では、ＬＥＤ（光源）から放射される光のちらつきを低減することが望まれている。
【０００６】
本発明は、上述の事由に鑑みてなされ、本発明の目的は、光源から放射される光のちらつきを低減可能な点灯装置及びそれを用いた照明器具を提供することである。
【課題を解決するための手段】
【０００７】
本発明の点灯装置は、光源を点灯させる点灯回路と、前記点灯回路を制御する制御回路とを備えている。前記制御回路は、前記光源に流れる電流の電流値を第１電流値にするための第１制御信号と、前記電流値を前記第１電流値よりも小さな第２電流値にするための第２制御信号との少なくとも一方を含む制御信号を前記点灯回路へ出力するように構成されている。前記制御回路は、前記電流に基本周波数の周波数成分が含まれるか否かを判定し、かつ、前記電流に臨界融合周波数以下の周波数の変動成分が含まれるか否かを判定する判定回路を備えている。前記判定回路は、前記電流に前記周波数成分が含まれる場合、前記電流に前記変動成分が含まれるか否かを判定するように構成されている。前記制御回路は、前記判定回路により前記電流に前記周波数成分が含まれないと判定された場合と前記判定回路により前記電流に前記変動成分が含まれると判定された場合との少なくとも一方の場合に、前記点灯回路へ出力する前記制御信号を変更する。
【０００８】
本発明の照明器具は、前記点灯装置と、前記点灯装置により点灯可能な前記光源とを備えている。
【発明の効果】
【０００９】
本発明の点灯装置では、光源から放射される光のちらつきを低減することが可能になる。
【００１０】
本発明の照明器具では、光源から放射される光のちらつきを低減可能な点灯装置を備えた照明器具を提供することができる。
【図面の簡単な説明】
【００１１】
【図１】実施形態１の点灯装置の回路図である。
【図２】実施形態１の点灯装置に関し、光源に流れる電流の波形の模式図である。
【図３】実施形態１の点灯装置における制御回路の動作を示すフローチャートである。
【図４】実施形態１の点灯装置に関し、制御回路が第１制御信号及び第２制御信号を出力する期間を示す模式図である。
【図５】実施形態１の点灯装置に関し、光源に流れる電流のピリオドグラムを示すグラフである。
【図６】実施形態１の点灯装置に関し、光源に流れる電流の他のピリオドグラムを示すグラフである。
【図７】実施形態１の照明器具の施工状態を示す概略側面図である。
【図８】実施形態２の点灯装置の回路図である。
【図９】実施形態２の点灯装置における制御回路の動作を示すフローチャートである。
【発明を実施するための形態】
【００１２】
以下の実施形態は、点灯装置及びそれを用いた照明器具に関し、特に、光源を点灯させる点灯装置及びそれを用いた照明器具に関する。
【００１３】
（実施形態１）
以下、本実施形態の点灯装置１００について、図１〜図６を参照しながら説明する。
【００１４】
点灯装置１００は、光源３００を点灯させるように構成されている。光源３００は、複数の固体発光素子３１を備えている。複数の固体発光素子３１の各々は、ＬＥＤである。複数の固体発光素子３１の電気的な接続関係は、直列接続である。各固体発光素子３１の発光色は、白色である。なお、点灯装置１００は、光源３００を構成要素として含まない。
【００１５】
点灯装置１００は、一対の入力端子１Ａ，１Ｂと、一対の出力端子２Ａ，２Ｂと、点灯回路１０と、制御回路２０とを備えている。
【００１６】
一対の入力端子１Ａ，１Ｂ間には、交流電源５００と調光器６００との直列回路が、直接的または間接的に接続される。言い換えれば、一対の入力端子１Ａ，１Ｂ間には、交流電源５００と調光器６００との直列回路が電気的に接続される。交流電源５００は、例えば、商用電源である。調光器６００は、交流電源５００の交流電圧を位相制御するように構成されている。なお、点灯装置１００は、交流電源５００及び調光器６００を構成要素として含まない。
【００１７】
一対の出力端子２Ａ，２Ｂ間には、光源３００が電気的に接続される。出力端子２Ａは、光源３００のアノード側の端子と電気的に接続される。出力端子２Ｂは、光源３００のカソード側の端子と電気的に接続される。
【００１８】
点灯回路１０は、光源３００を点灯させるように構成されている。点灯回路１０は、整流平滑回路１１と、変換回路１２と、位相検出回路１３と、電流検出回路１４とを備えている。
【００１９】
整流平滑回路１１は、調光器６００により位相制御された電圧から直流電圧（第１直流電圧）を生成するように構成されている。また、整流平滑回路１１は、第１直流電圧を変換回路１２へ出力するように構成されている。整流平滑回路１１は、例えば、整流回路１５と、コンデンサＣ１とを備えている。整流回路１５は、調光器６００により位相制御された電圧を整流するように構成されている。整流回路１５は、例えば、ダイオードブリッジである。
【００２０】
整流回路１５の一対の入力端子は、一対の入力端子１Ａ，１Ｂと電気的に接続されている。整流回路１５の一対の出力端子間には、コンデンサＣ１が電気的に接続されている。入力端子１Ａは、ダイオードＤ１と、位相検出回路１３とを介して、制御回路２０と電気的に接続されている。入力端子１Ｂは、ダイオードＤ２と、位相検出回路１３とを介して、制御回路２０と電気的に接続されている。本実施形態では、入力端子１ＡがダイオードＤ１のアノードと電気的に接続され、ダイオードＤ１のカソードが位相検出回路１３と電気的に接続されている。また、本実施形態では、入力端子１ＢがダイオードＤ２のアノードと電気的に接続され、ダイオードＤ２のカソードがダイオードＤ１のカソード及び位相検出回路１３と電気的に接続されている。位相検出回路１３は、調光器６００により位相制御された電圧（電圧信号）の位相（位相角）を検出するように構成されている。上記電圧信号は、光源３００を調光するための調光信号に相当する。要するに、位相検出回路１３は、調光器６００からの調光信号の位相を検出するように構成されている。
【００２１】
変換回路１２は、第１直流電圧を第２直流電圧に変換するように構成されている。変換回路１２は、例えば、絶縁型のフライバックコンバータである。変換回路１２は、スイッチング素子Ｑ１と、トランス１８と、ダイオードＤ３と、コンデンサＣ２とを備えている。スイッチング素子Ｑ１は、デプレッション型のｎチャネルＭＯＳＦＥＴ（Metal Oxide Semiconductor Field Effect Transistor）である。トランス１８は、１次巻線Ｎ１と、２次巻線Ｎ２とを有している。第２直流電圧の電圧値は、光源３００の順電圧（順方向電圧）以上の電圧値である。なお、「光源３００の順電圧」とは、複数の固体発光素子３１の順電圧の合計を意味する。
【００２２】
スイッチング素子Ｑ１のドレイン端子は、トランス１８の１次巻線Ｎ１を介して、コンデンサＣ１の非接地側の端子と電気的に接続されている。スイッチング素子Ｑ１のゲート端子は、制御回路２０と電気的に接続されている。スイッチング素子Ｑ１のソース端子は、コンデンサＣ１の接地側の端子と電気的に接続されている。
【００２３】
トランス１８の２次巻線Ｎ２の一端は、ダイオードＤ３のアノードと電気的に接続されている。ダイオードＤ３のカソードは、コンデンサＣ２の高電位側の端子と電気的に接続されている。コンデンサＣ２の低電位側の端子は、２次巻線Ｎ２の他端と電気的に接続されている。コンデンサＣ２の高電位側の端子は、出力端子２Ａと電気的に接続されている。コンデンサＣ２の低電位側の端子は、電流検出回路１４を介して、出力端子２Ｂと電気的に接続されている。電流検出回路１４は、光源３００に流れる電流Ｉａを検出するように構成されている。電流検出回路１４は、制御回路２０と電気的に接続されている。
【００２４】
制御回路２０は、点灯回路１０を制御するように構成されている。制御回路２０は、例えば、マイクロコンピュータ（マイコン）である。マイコンは、メモリを備えている。メモリには、プログラムが記憶されている。プログラムは、マイコンを制御回路２０として機能させるためのプログラムである。このプログラムには、点灯装置１００を動作させる動作モード等が記述されている。制御回路２０は、コンデンサＣ１の接地側の端子と電気的に接続されている。また、制御回路２０は、コンデンサＣ２の低電位側の端子と電気的に接続されている。本実施形態では、制御回路２０の内部で、コンデンサＣ１の接地側の端子、位相検出回路１３及びスイッチング素子Ｑ１のゲート端子と、コンデンサＣ２の低電位側の端子及び電流検出回路１４とが、フォトカプラを用いて、電気的に絶縁されている。要するに、コンデンサＣ１の接地側の端子と、コンデンサＣ２の低電位側の端子とが電気的に絶縁されている。
【００２５】
また、制御回路２０は、光源３００に流れる電流Ｉａの電流値が所定値（第１所定値）となるように、点灯回路１０を制御するように構成されている。第１所定値は、調光器６００の操作部での設定により決定される。本実施形態では、調光器６００の操作部での設定が変更されると、調光器６００により位相制御された電圧の位相が変化する。また、本実施形態では、調光器６００により位相制御された電圧の位相が変化すると、第１所定値が変更される。なお、「調光器６００の操作部」とは、例えば、ダイヤル（調光つまみ）、スライダー、スイッチ等を意味する。
【００２６】
制御回路２０は、第１制御部２１と、第２制御部２２とを備えている。
【００２７】
第１制御部２１は、スイッチング素子Ｑ１を制御するように構成されている。具体的に説明すると、第１制御部２１は、第１制御信号と第２制御信号との少なくとも一方の制御信号をスイッチング素子Ｑ１へ出力するように構成されている。第１制御信号は、光源３００に流れる電流Ｉａの電流値を第１電流値ｉ１（図２参照）にするための信号である。第２制御信号は、電流Ｉａの電流値を第２電流値ｉ２（図２参照）にするための信号である。第１制御信号及び第２制御信号の各々は、例えば、ＰＷＭ信号である。第２電流値ｉ２は、第１電流値ｉ１よりも小さい。また、第２電流値ｉ２は、第１所定値よりも小さい。第１電流値ｉ１は、第１所定値よりも大きい。
【００２８】
ここにおいて、制御回路２０のメモリには、データテーブルが記憶されている。データテーブルには、位相検出回路１３により検出された位相と、第１所定値とが１対１で対応付けられている。
【００２９】
第１制御部２１は、データテーブルに基づいて、位相検出回路１３により検出された位相に対応する第１所定値を決定するように構成されている。また、第１制御部２１は、光源３００に流れる電流Ｉａの電流値が第１所定値となるように、第１制御信号と第２制御信号との少なくとも一方の制御信号を点灯回路１０へ出力するように構成されている。
【００３０】
この第１制御部２１は、第１判定部２３を備えている。第１判定部２３は、電流検出回路１４により検出された電流Ｉａの電流値と第１所定値との差が規定値よりも大きいか否かを判定するように構成されている。規定値は、例えば、第１所定値の５％の誤差範囲内の値である。なお、第１判定部２３は、電流検出回路１４により検出された電流Ｉａの電流値と第１所定値との差が規定値よりも大きいか否かを判定するように構成されているが、この構成に限らない。第１判定部２３は、例えば、電流検出回路１４により検出された電流Ｉａの電流値に処理（例えば、フィルタ処理等）が施された値と、第１所定値との差が規定値よりも大きいか否かを判定するように構成されていてもよい。
【００３１】
第１制御部２１は、第１判定部２３により電流Ｉａの電流値と第１所定値との差が規定値よりも大きいと判定された場合、電流Ｉａの電流値が第１所定値となるように点灯回路１０をフィードバック制御〔例えば、ＰＩ（Proportional Integral）制御］するように構成されている。詳細には、第１制御部２１は、第１判定部２３により電流Ｉａの電流値と第１所定値との差が規定値よりも大きいと判定された場合、第１制御信号と第２制御信号とを交互に点灯回路１０のスイッチング素子Ｑ１へ出力するように構成されている。例えば、第１制御部２１は、点灯回路１０をフィードバック制御する場合、光源３００に流れる電流Ｉａの電流値が第１電流値ｉ１と第２電流値ｉ２とで交互に切り替わるように、第１制御信号と第２制御信号とを交互にスイッチング素子Ｑ１へ出力する（図２参照）。図２中の縦軸は、光源３００に流れる電流Ｉａを表している。図２中の横軸は、時間を表している。図２中の一点鎖線は、第１所定値を表している。図２中のＴ１は、第１制御信号の出力期間を表している。図２中のＴ２は、第２制御信号の出力期間を表している。図２中のＴｘは、第１制御信号及び第２制御信号の周期を表している。なお、「ＰＩ制御」とは、操作量（調光器６００の操作部での設定により決定された第１所定値）と観測量（電流検出回路１４により検出された電流Ｉａの電流値）との両方に、比例制御と積分制御とが働く制御を意味する。また、第１制御部２１は、点灯回路１０をフィードバック制御する場合、第１制御信号と第２制御信号とを交互にスイッチング素子Ｑ１へ出力しているが、第１制御信号と第２制御信号は、第１制御部２１のフィードバック制御によって結果的に交互に出力されている。すなわち、第１制御部２１は、点灯回路１０をフィードバック制御する場合、能動的に第１制御信号と第２制御信号とを交互にスイッチング素子Ｑ１へ出力しているわけではない。
【００３２】
また、第１制御部２１は、第１判定部２３により電流Ｉａの電流値と第１所定値との差が規定値以下と判定された場合、スイッチング素子Ｑ１へ出力する制御信号を変更しないように構成されている。
【００３３】
第２制御部２２は、第１制御部２１を制御するように構成されている。第２制御部２２は、第２判定部２４を備えている。第２判定部２４は、電流Ｉａに基本周波数の周波数成分が含まれるか否かを判定するように構成されている。より詳細には、第２判定部２４は、第１制御信号及び第２制御信号の周期（図２中のＴｘ）の逆数で表される周波数（基本周波数）の周波数成分がある場合に、電流Ｉａに基本周波数の周波数成分が含まれると判定するように構成されている。基本周波数は、１／（第１制御信号及び第２制御信号の周期）により求められる。なお、「第１制御信号及び第２制御信号の周期」とは、第１制御信号の出力期間（図２中のＴ１）と第２制御信号の出力期間（図２中のＴ２）とを組み合わせた１周期を意味する。なお、第１制御信号の出力期間Ｔ１は、第１制御信号を継続して出力している期間を意味する。また、第２制御信号の出力期間Ｔ２は、第２制御信号を継続して出力している期間を意味する。
【００３４】
また、第２判定部２４は、電流Ｉａに臨界融合周波数（ＣＦＦ：Critical Fusion Frequency）以下の周波数の変動成分が含まれるか否かを判定するように構成されている。より詳細には、第２判定部２４は、基本周波数が臨界融合周波数以下である場合に、電流Ｉａに変動成分が含まれると判定するように構成されている。「臨界融合周波数」とは、その周波数以上ではちらつきを人が感じない光刺激の交替周波数を意味する。臨界融合周波数は、例えば、６０Ｈｚである。本実施形態では、第２判定部２４は、電流Ｉａに基本周波数の周波数成分が含まれる場合に、電流Ｉａに変動成分が含まれるか否かを判定する。なお、臨界融合周波数は、６０Ｈｚに限らない。また、第２判定部２４は、第１制御信号及び第２制御信号の周期の逆数で表される周波数が臨界融合周波数以下である場合に、電流Ｉａに変動成分が含まれると判定するように構成されているが、この構成に限らない。第２判定部２４は、例えば、第１制御信号の周期に処理（例えば、フィルタ処理等）が施された周期と、第２制御信号の周期に上記処理が施された周期とを合わせた周期の逆数で表される周波数が臨界融合周波数以下である場合に、電流Ｉａに変動成分が含まれると判定するように構成されていてもよい。
【００３５】
第２制御部２２は、第１制御部２１が点灯回路１０をフィードバック制御するときに、第２判定部２４により電流Ｉａに基本周波数の周波数成分が含まれないと判定された場合、点灯回路１０のスイッチング素子Ｑ１へ出力する制御信号を変更するように構成されている。この第２制御部２２は、第１制御部２１が点灯回路１０をフィードバック制御するときに、第２判定部２４により電流Ｉａに基本周波数の周波数成分が含まれないと判定された場合、第１制御信号と第２制御信号との一方の制御信号を点灯回路１０のスイッチング素子Ｑ１へ出力するように構成されている。このとき、第１制御部２１は、フィードバック制御に基づいて決定した制御信号をスイッチング素子Ｑ１へ出力するのを停止する。
【００３６】
また、第２制御部２２は、第１制御部２１が点灯回路１０をフィードバック制御するときに、第２判定部２４により電流Ｉａに変動成分が含まれないと判定された場合、第１制御部２１がフィードバック制御を継続するように構成されている。言い換えれば、第１制御部２１は、第２判定部２４により電流Ｉａに変動成分が含まれないと判定された場合、フィードバック制御に基づいて決定した制御信号をスイッチング素子Ｑ１へ出力するように構成されている。
【００３７】
さらに、第２制御部２２は、第１制御部２１が点灯回路１０をフィードバック制御するときに、第２判定部２４により電流Ｉａに変動成分が含まれると判定された場合、点灯回路１０のスイッチング素子Ｑ１へ出力する制御信号を変更するように構成されている。第２制御部２２は、第１制御部２１が点灯回路１０をフィードバック制御するときに、第２判定部２４により電流Ｉａに変動成分が含まれると判定された場合、第１制御信号と第２制御信号との一方の制御信号を点灯回路１０のスイッチング素子Ｑ１へ出力するように構成されている。このとき、第１制御部２１は、フィードバック制御に基づいて決定した制御信号をスイッチング素子Ｑ１へ出力するのを停止する。
【００３８】
以下、本実施形態の点灯装置１００における制御回路２０の動作について、図３に基づいて説明する。
【００３９】
第１判定部２３は、電流Ｉａの電流値と第１所定値との差が規定値よりも大きいか否かを判定する（ステップＳ１）。第１制御部２１は、第１判定部２３により電流Ｉａの電流値と第１所定値との差が規定値以下と判定された場合（ステップＳ１のＮｏ）、スイッチング素子Ｑ１へ出力する制御信号を変更しない（ステップＳ２）。一方、第１制御部２１は、第１判定部２３により電流Ｉａの電流値と第１所定値との差が規定値よりも大きいと判定された場合（ステップＳ１のＹｅｓ）に、点灯回路１０をフィードバック制御する（ステップＳ３）。
【００４０】
第２判定部２４は、第１制御部２１が点灯回路１０をフィードバック制御するとき、電流Ｉａに基本周波数の周波数成分が含まれるか否かを判定する（ステップＳ４）。
【００４１】
第２制御部２２は、第２判定部２４により電流Ｉａに基本周波数の周波数成分が含まれないと判定された場合（ステップＳ４のＮｏ）、スイッチング素子Ｑ１へ出力する制御信号を変更する（ステップＳ６）。そして、第２制御部２２は、第１制御信号と第２制御信号との一方の制御信号をスイッチング素子Ｑ１へ出力する（ステップＳ７）。
【００４２】
第２判定部２４は、電流Ｉａに基本周波数の周波数成分が含まれる場合（ステップＳ４のＹｅｓ）、電流Ｉａに変動成分が含まれるか否かを判定する（ステップＳ５）。
【００４３】
第２制御部２２は、第２判定部２４により電流Ｉａに変動成分が含まれると判定された場合（ステップＳ５のＹｅｓ）、スイッチング素子Ｑ１へ出力する制御信号を変更する（ステップＳ６）。そして、第２制御部２２は、第１制御信号と第２制御信号との一方の制御信号をスイッチング素子Ｑ１へ出力する（ステップＳ７）。本実施形態では、第２制御部２２は、第２判定部２４により電流Ｉａに変動成分が含まれると判定された場合、第１制御部２１からの制御情報（第１制御信号、第２制御信号等）が引き継がれる。例えば、第２制御部２２は、第２判定部２４により電流Ｉａに変動成分が含まれると判定された時（図２中のｔ１の時点）に、第１制御部２１がスイッチング素子Ｑ１へ出力していた制御信号（図２では、第２制御信号）を、スイッチング素子Ｑ１へ出力する。また、本実施形態では、第２制御部２２は、第２判定部２４により電流Ｉａに基本周波数の周波数成分が含まれないと判定された場合、第１制御部２１からの制御情報が引き継がれる。
【００４４】
第１制御部２１は、第２判定部２４により電流Ｉａに変動成分が含まれないと判定された場合（ステップＳ５のＮｏ）、フィードバック制御に基づいて、スイッチング素子Ｑ１へ出力する制御信号を決定する（ステップＳ８）。そして、第１制御部２１は、決定した制御信号をスイッチング素子Ｑ１へ出力する（ステップＳ７）。
【００４５】
第２判定部２４は、第１制御信号及び第２制御信号の周期の逆数で表される周波数が臨界融合周波数以下である場合に、電流Ｉａに変動成分が含まれると判定するように構成されているが、この構成に限らない。第２判定部２４は、電流検出回路１４により検出された電流Ｉａのリップルの周波数が臨界融合周波数以下である場合に、電流Ｉａに変動成分が含まれると判定するように構成されていてもよい。この場合、電流検出回路１４により検出された電流Ｉａに、処理（例えば、フィルタ処理等）が施されていてもよい。
【００４６】
本実施形態では、第１制御部２１と第２制御部２２とが別体に構成されているが、第１制御部２１と第２制御部２２とが一体に構成されていてもよい。この場合、第１判定部２３と第２判定部２４とは、一体に構成される。なお、本実施形態では、第１判定部２３と第２判定部２４とが、判定回路２６を構成している。
【００４７】
制御回路２０は、上述のように、判定回路２６により電流Ｉａに基本周波数の周波数成分が含まれないと判定された場合、点灯回路１０へ出力する制御信号を変更する。具体的には、制御回路２０は、上述のように、判定回路２６により電流Ｉａに基本周波数の周波数成分が含まれないと判定された場合、第１制御信号と第２制御信号との一方の制御信号を点灯回路１０のスイッチング素子Ｑ１へ出力する。これにより、点灯装置１００では、制御回路２０が点灯回路１０を制御するときに、光源３００から放射される光のちらつきを低減することが可能になる。
【００４８】
また、制御回路２０は、上述のように、判定回路２６により電流Ｉａに変動成分が含まれると判定された場合、点灯回路１０へ出力する制御信号を変更する。具体的には、制御回路２０は、上述のように、判定回路２６により電流Ｉａに変動成分が含まれると判定された場合、第１制御信号と第２制御信号との一方の制御信号を点灯回路１０のスイッチング素子Ｑ１へ出力する。これにより、点灯装置１００では、制御回路２０が点灯回路１０を制御するときに、光源３００から放射される光のちらつきを低減することが可能になる。
【００４９】
制御回路２０は、判定回路２６により電流Ｉａに変動成分が含まれると判定された場合に、第１制御信号と第２制御信号との一方の制御信号を点灯回路１０へ出力しているが、この構成に限らない。
【００５０】
制御回路２０は、判定回路２６により電流Ｉａに変動成分が含まれると判定された場合に、電流Ｉａに変動成分が含まれないように、第１制御信号と第２制御信号とを交互に点灯回路１０へ出力してもよい。この場合、第１制御信号及び第２制御信号の周期は、この周期の逆数で表される周波数（基本周波数）が臨界融合周波数よりも大きくなるように、設定される。
【００５１】
詳細に説明すると、制御回路２０は、判定回路２６により電流Ｉａに変動成分が含まれると判定された場合に、第１制御信号及び第２制御信号の周期を一定周期で繰り返すように、第１制御信号と第２制御信号とを交互に点灯回路１０へ出力してもよい。例えば、制御回路２０は、判定回路２６により電流Ｉａに変動成分が含まれると判定された場合に、第１制御信号の出力期間Ｔ１と第２制御信号の出力期間Ｔ２との比率が一定になるように、第１制御信号と第２制御信号とを交互に点灯回路１０へ出力する（図４中のＨ１〜Ｈ３参照）。以下では、説明の便宜上、第１制御信号の出力期間Ｔ１を「第１出力期間Ｔ１」と称し、第２制御信号の出力期間Ｔ２を「第２出力期間Ｔ２」と称する。図４中のＨ１，Ｈ２では、第１出力期間Ｔ１と第２出力期間Ｔ２との比率が、１対１である。図４中のＨ１では、第１出力期間Ｔ１及び第２出力期間Ｔ２の各々が、２ｍｓである。図４中のＨ２では、第１出力期間Ｔ１及び第２出力期間Ｔ２の各々が、８ｍｓである。図４中のＨ３では、第１出力期間Ｔ１と第２出力期間Ｔ２との比率が１対４である。また、図４中のＨ３では、第１出力期間Ｔ１が２ｍｓであり、第２出力期間Ｔ２が８ｍｓである。
【００５２】
また、制御回路２０は、判定回路２６により電流Ｉａに変動成分が含まれると判定された場合に、第１出力期間Ｔ１と第２出力期間Ｔ２とが同じになるように、第１制御信号と第２制御信号とを交互に点灯回路１０へ出力してもよい（図４中のＨ１，Ｈ２参照）。言い換えれば、制御回路２０は、判定回路２６により電流Ｉａに変動成分が含まれると判定された場合に、第１制御信号と第２制御信号とを交互に同じ長さの時間ずつ点灯回路１０へ出力してもよい。
【００５３】
ここにおいて、判定回路２６により電流Ｉａに基本周波数の周波数成分が含まれないと判定された場合の動作については、判定回路２６により電流Ｉａに変動成分が含まれると判定された場合の動作と同じであるため、説明を省略する。
【００５４】
本実施形態の点灯装置１００において、第１出力期間Ｔ１と第２出力期間Ｔ２とを様々な出力期間に設定し、制御回路２０が第１制御信号と第２制御信号とを交互に点灯回路１０へ出力する場合を検討した（図４中のＨ１〜Ｈ４参照）。また、下記の表１は、その検討結果をまとめた表である。図４中のＨ４の第１出力期間Ｔ１は、２ｍｓ、８ｍｓ、８ｍｓの順に設定されている。図４中のＨ４の第２出力期間Ｔ２は、８ｍｓ、２ｍｓ、８ｍｓの順に設定されている。すなわち、図４中のＨ４の第１出力期間Ｔ１と第２出力期間Ｔ２とは、交互に、２ｍｓ、８ｍｓ、８ｍｓ、２ｍｓ、８ｍｓ、８ｍｓの順でランダムに設定されている。
【００５５】
【表１】
2017120722.tif 000003
【００５６】
点灯装置１００では、第１出力期間Ｔ１及び第２出力期間Ｔ２の出力期間がランダムに設定された場合（図４中のＨ４の場合）、図５に示すように、基本周波数が存在せず、光源３００から放射される光にちらつきが発生する。
【００５７】
また、点灯装置１００では、第１出力期間Ｔ１及び第２出力期間Ｔ２の出力期間が８ｍｓ固定に設定された場合（図４中のＨ２の場合）、図６に示すように、基本周波数Ｆ２が存在し、かつ、基本周波数Ｆ２が臨界融合周波数よりも大きくなり、光源３００から放射される光にちらつきが発生しない。図６中のＦｃは、臨界融合周波数を表している。図５及び図６の縦軸は、同じ相対値で表されている。
【００５８】
なお、点灯装置１００では、第１出力期間Ｔ１及び第２出力期間Ｔ２の出力期間が２ｍｓと８ｍｓとで交互に設定された場合（図４中のＨ３の場合）も、表１に示すように、基本周波数が臨界融合周波数よりも大きくなる。また、点灯装置１００では、第１出力期間Ｔ１及び第２出力期間Ｔ２の出力期間が２ｍｓ固定に設定された場合（図４中のＨ１の場合）も、表１に示すように、基本周波数が臨界融合周波数よりも大きくなる。
【００５９】
以上説明したように、本実施形態の点灯装置１００は、光源３００を点灯させる点灯回路１０と、点灯回路１０を制御する制御回路２０とを備えている。制御回路２０は、第１制御信号と第２制御信号との少なくとも一方を含む制御信号を点灯回路１０へ出力するように構成されている。第１制御信号は、光源３００に流れる電流Ｉａの電流値を第１電流値ｉ１にするための信号である。第２制御信号は、上記電流値を第２電流値ｉ２にするための信号である。第２電流値ｉ２は、第１電流値ｉ１よりも小さい。制御回路２０は、電流Ｉａに基本周波数の周波数成分が含まれるか否かを判定し、かつ、電流Ｉａに臨界融合周波数以下の周波数の変動成分が含まれるか否かを判定する判定回路２６を備えている。判定回路２６は、電流Ｉａに上記周波数成分が含まれる場合、電流Ｉａに変動成分が含まれるか否かを判定するように構成されている。制御回路２０は、判定回路２６により電流Ｉａに上記周波数成分が含まれないと判定された場合と判定回路２６により電流Ｉａに変動成分が含まれると判定された場合との少なくとも一方の場合に、点灯回路１０へ出力する制御信号を変更する。
【００６０】
この構成によれば、点灯装置１００では、制御回路２０が点灯回路１０を制御するときに、光源３００から放射される光のちらつきを低減することが可能になる。
【００６１】
点灯回路１０は、上述のように、スイッチング素子Ｑ１と、電流Ｉａを検出する電流検出回路１４とを備えていることが好ましい。制御回路２０は、第１制御信号と第２制御信号とを交互にスイッチング素子Ｑ１へ出力して、上記電流値が所定値となるように点灯回路１０をフィードバック制御するように構成されることが好ましい。所定値は、第１電流値よりも小さく、かつ、第２電流値よりも大きな値である。また、制御回路２０は、電流検出回路１４により検出された電流Ｉａの電流値と所定値との差が規定値よりも大きい場合に、点灯回路１０をフィードバック制御することが好ましい。
【００６２】
この構成によっても、点灯装置１００では、制御回路２０が点灯回路１０を制御するときに、光源３００から放射される光のちらつきを低減することが可能になる。
【００６３】
判定回路２６は、上述のように、第１制御信号の出力期間Ｔ１と第２制御信号の出力期間Ｔ２とを組み合わせた１周期（図２中のＴｘ）の逆数で表される周波数が臨界融合周波数以下である場合に、電流Ｉａに変動成分が含まれると判定するように構成されていることが好ましい。
【００６４】
この構成によっても、点灯装置１００では、制御回路２０が点灯回路１０を制御するときに、光源３００から放射される光のちらつきを低減することが可能になる。
【００６５】
また、判定回路２６は、電流検出回路１４により検出された電流Ｉａのリップルの周波数が臨界融合周波数以下である場合に、電流Ｉａに変動成分が含まれると判定するように構成されていてもよい。
【００６６】
この構成によっても、点灯装置１００では、制御回路２０が点灯回路１０を制御するときに、光源３００から放射される光のちらつきを低減することが可能になる。
【００６７】
制御回路２０は、上述のように、判定回路２６により電流Ｉａに上記周波数成分が含まれないと判定された場合と判定回路２６により電流Ｉａに変動成分が含まれると判定された場合との少なくとも一方の場合に、第１制御信号と第２制御信号との一方を点灯回路１０へ出力することが好ましい。
【００６８】
この構成によっても、点灯装置１００では、制御回路２０が点灯回路１０を制御するときに、光源３００から放射される光のちらつきを低減することが可能になる。
【００６９】
制御回路２０は、判定回路２６により電流Ｉａに上記周波数成分が含まれないと判定された場合と判定回路２６により電流Ｉａに変動成分が含まれると判定された場合との少なくとも一方の場合に、第１制御信号の出力期間Ｔ１と第２制御信号の出力期間Ｔ２とを組み合わせた１周期を一定周期で繰り返し、かつ、この１周期の逆数で表される周波数が臨界融合周波数よりも大きくなるように、第１制御信号と第２制御信号とを交互に点灯回路１０へ出力してもよい。
【００７０】
この構成によれば、点灯装置１００では、第１制御信号と第２制御信号との一方を点灯回路１０へ出力する場合に比べて、光源３００に流れる電流Ｉａの電流値を第１所定値に近づけることが可能になる。これにより、点灯装置１００では、第１制御信号と第２制御信号との一方を点灯回路１０へ出力する場合に比べて、光源３００から放射される光の明るさを、調光器６００の操作部で設定された明るさに近づけることが可能になる。
【００７１】
制御回路２０は、判定回路２６により電流Ｉａに上記周波数成分が含まれないと判定された場合と判定回路２６により電流Ｉａに変動成分が含まれると判定された場合との少なくとも一方の場合に、第１制御信号の出力期間Ｔ１と第２制御信号の出力期間Ｔ２との比率が一定になるように、第１制御信号と第２制御信号とを交互に点灯回路１０へ出力してもよい。
【００７２】
この構成によっても、点灯装置１００では、第１制御信号と第２制御信号との一方を点灯回路１０へ出力する場合に比べて、光源３００に流れる電流Ｉａの電流値を第１所定値に近づけることが可能になる。
【００７３】
また、制御回路２０は、判定回路２６により電流Ｉａに上記周波数成分が含まれないと判定された場合と判定回路２６により電流Ｉａに変動成分が含まれると判定された場合との少なくとも一方の場合に、第１制御信号の出力期間Ｔ１と第２制御信号の出力期間Ｔ２とが同じになるように、第１制御信号と第２制御信号とを交互に点灯回路１０へ出力してもよい。
【００７４】
この構成によっても、点灯装置１００では、第１制御信号と第２制御信号との一方を点灯回路１０へ出力する場合に比べて、光源３００に流れる電流Ｉａの電流値を第１所定値に近づけることが可能になる。
【００７５】
なお、点灯装置１００では、フィードバック制御としてＰＩ制御を用いているが、これに限らず、Ｉ−Ｐ（Integral-Proportional）制御を用いてもよい。「Ｉ−Ｐ制御」とは、操作量（調光器６００の操作部での設定により決定された第１所定値）と観測量（電流検出回路１４により検出された電流Ｉａの電流値）との両方に積分制御が働き、観測量のみに比例制御が働く制御を意味する。
【００７６】
制御回路２０は、マイコンであるが、これに限らない。制御回路２０は、例えば、ＡＳＩＣ（Application Specific Integrated Circuit）、ＤＳＰ（Digital Signal Processor）、ＦＰＧＡ（Field Programmable Gate Array）等であってもよい。プログラムは、マイコンのメモリに記録されているが、これに限らない。プログラムは、例えば、メモリカード等の記録媒体に記録して提供されたり、インターネット等の電気通信回線を通して提供されたりしてもよい。
【００７７】
第１制御部２１は、スイッチング素子Ｑ１を制御するように構成されているが、この構成に限らない。第１制御部２１は、例えば、ドライバを介して、スイッチング素子Ｑ１を制御するように構成されていてもよい。
【００７８】
変換回路１２は、フライバックコンバータであるが、これに限らない。変換回路１２は、例えば、フォワードコンバータ、バックコンバータ、ブーストコンバータ、ＳＥＰＩＣ（Single Ended Primary Inductance Converter）、Ｃｕｋコンバータ、Ｚｅｔａコンバータ等であってもよい。また、スイッチング素子Ｑ１は、デプレッション型のｎチャネルＭＯＳＦＥＴであるが、これに限らない。スイッチング素子Ｑ１は、エンハンスメント型のｎチャネルＭＯＳＦＥＴであってもよい。
【００７９】
また、変換回路１２は、絶縁型のフライバックコンバータであるが、非絶縁型のフライバックコンバータであってもよい。この場合、コンデンサＣ１の接地側の端子と、コンデンサＣ２の低電位側の端子とが電気的に接続される。
【００８０】
複数の固体発光素子３１の電気的な接続関係は、直列接続であるが、この接続に限らない。複数の固体発光素子３１の電気的な接続関係は、並列接続であってもよい。また、複数の固体発光素子３１の電気的な接続関係は、直列接続と並列接続とを組み合わせた接続であってもよい。
【００８１】
複数の固体発光素子３１の各々は、ＬＥＤであるが、これに限らない。複数の固体発光素子３１の各々は、例えば、有機エレクトロルミネッセンス素子等であってもよい。固体発光素子３１の数は、複数に限らず、１つであってもよい。また、各固体発光素子３１の発光色は、白色に限らない。
【００８２】
以下、本実施形態の照明器具４００について、図７に基づいて説明する。
【００８３】
照明器具４００は、例えば、シーリングライトである。照明器具４００は、天井材９００に直付けされる。照明器具４００は、光源３００と、基板３２と、点灯装置１００と、器具本体３３と、拡散部３４とを備えている。
【００８４】
基板３２は、プリント基板である。基板３２の下面には、複数の固体発光素子３１が実装されている。複数の固体発光素子３１は、例えば、基板３２の下面内における仮想円の円周上において、等間隔に配置されている。基板３２は、一対の第１電源線を介して、点灯装置１００と電気的に接続されている。なお、以下では、説明の便宜上、複数の固体発光素子３１が実装された基板３２を、「光源ユニット３０」と称する。つまり、光源ユニット３０は、光源３００と、基板３２とを備えている。
【００８５】
点灯装置１００は、一対の第２電源線８０Ａ，８０Ｂを介して、交流電源５００と調光器６００との直列回路（図１参照）と電気的に接続される。一例を挙げて説明すると、入力端子１Ａは、第２電源線８０Ａを介して、調光器６００と電気的に接続される。入力端子１Ｂは、第２電源線８０Ｂを介して、交流電源５００と電気的に接続される。本実施形態では、一対の第２電源線８０Ａ，８０Ｂが、天井材９００に形成された第１孔９１から導出されている。なお、照明器具４００は、一対の第２電源線８０Ａ，８０Ｂを構成要素として含まない。
【００８６】
器具本体３３には、点灯装置１００及び光源ユニット３０が取り付けられる。器具本体３３は、例えば、金属により形成されている。金属としては、例えば、アルミニウム、ステンレス、鉄等が挙げられる。器具本体３３は、本体部３５と、鍔部３６とを備えている。本体部３５は、有底円筒状に形成されている。本体部３５の底壁には、第２孔が形成されている。第２孔は、一対の第２電源線８０Ａ，８０Ｂを通すための孔である。鍔部３６は、本体部３５の側壁における開口側（図７では、下側）の端部から外方へ突出するように形成されている。鍔部３６は、円環状に形成されている。また、鍔部３６は、本体部３５と一体に形成されている。
【００８７】
拡散部３４は、光源３００から放射された光を拡散する。拡散部３４は、透光性を有する材料により形成されている。透光性を有する材料としては、例えば、アクリル樹脂、ガラス等が挙げられる。拡散部３４は、器具本体３３の鍔部３６に取り付けられる。
【００８８】
以上説明したように、本実施形態の照明器具４００は、点灯装置１００と、点灯装置１００により点灯可能な光源３００とを備えている。
【００８９】
この構成によれば、照明器具４００では、光源３００から放射される光のちらつきを低減可能な点灯装置１００を備えた照明器具を提供することができる。
【００９０】
なお、照明器具４００は、天井材９００に直付けされるが、これに限らない。照明器具４００は、例えば、天井材９００に埋め込み配置されてもよい。また、照明器具４００は、シーリングライトであるが、これに限らない。照明器具４００は、例えば、ベースライト、ダウンライト、スポットライト、ペンダントライト、ブラケット等であってもよい。
【００９１】
基板３２は、プリント基板であるが、これに限らない。基板３２は、例えば、セラミック基板等であってもよい。また、本体部３５は、有底円筒状に形成されているが、この形状に限らない。本体部３５は、例えば、有底角筒状等に形成されていてもよい。また、鍔部３６は、円環状に形成されているが、この形状に限らない。鍔部３６は、例えば、四角環状、八角環状等に形成されていてもよい。
【００９２】
器具本体３３には、点灯装置１００及び光源ユニット３０が取り付けられるが、これに限らない。器具本体３３には、光源ユニット３０のみが取り付けられてもよい。この場合、点灯装置１００は、天井材９００の上面に設置される。
【００９３】
また、照明器具４００は、点灯装置１００と光源ユニット３０とが、別体に構成されているが、一体に構成されていてもよい。例えば、点灯装置１００は、光源ユニット１００の基板３２に実装されていてもよい。
【００９４】
（実施形態２）
以下、本実施形態の点灯装置１１０について、図８に基づいて説明する。点灯装置１１０の基本構成は、実施形態１の点灯装置１００と同じである。ただし、点灯装置１１０は、電流検出回路１４を備えていない。また、点灯装置１１０は、定電流回路１６を備えている点等が、点灯装置１００と相違する。なお、本実施形態の点灯装置１１０では、実施形態１の点灯装置１００と同様の構成要素に同一の符号を付して説明を適宜省略する。また、点灯装置１１０は、点灯装置１００と同様の構成であるため、点灯装置１１０については、点灯装置１００との相違点のみを説明する。この点灯装置１１０は、実施形態１の照明器具４００に適用されてもよい。
【００９５】
定電流回路１６は、光源３００に流れる電流Ｉａを一定にするように構成されている。言い換えれば、定電流回路１６は、電流Ｉａの電流値を第１所定値に定電流化するように構成されている。定電流回路１６は、スイッチング素子Ｑ２と、誤差増幅器１７と、抵抗Ｒ１とを備えている。スイッチング素子Ｑ２は、エンハンスメント型のｎチャネルＭＯＳＦＥＴである。
【００９６】
スイッチング素子Ｑ２のドレイン端子は、出力端子２Ｂと電気的に接続されている。スイッチング素子Ｑ２のゲート端子は、誤差増幅器１７の出力端子と電気的に接続されている。スイッチング素子Ｑ２のソース端子は、誤差増幅器１７の反転入力端子と電気的に接続されている。誤差増幅器１７の非反転入力端子は、制御回路２０と電気的に接続されている。また、スイッチング素子Ｑ２のソース端子は、抵抗Ｒ１を介して、コンデンサＣ２の低電位側の端子と電気的に接続されている。
【００９７】
第１制御部２１は、スイッチング素子Ｑ１がオンオフを交互に繰り返すように、スイッチング素子Ｑ１を制御するように構成されている。また、第１制御部２１は、第１制御信号と第２制御信号との少なくとも一方を含む制御信号を定電流回路１６へ出力するように構成されている。第１制御信号は、第１電流値ｉ１に対応する第１電圧値を示す電圧信号である。第２制御信号は、第２電流値ｉ２に対応する第２電圧値を示す電圧信号である。第２電圧値は、第１電圧値よりも小さい。また、第２電圧値は、第２所定値よりも小さい。第１電圧値は、第２所定値よりも大きい。
【００９８】
ところで、制御回路２０は、変換部２５を備えている。変換部２５は、位相検出回路１３により検出された位相をサンプリングしてデジタル値に変換するように構成されている。変換部２５は、例えば、アナログ／デジタル変換回路である。
【００９９】
データテーブルには、変換部２５により変換されたデジタル値と、第２所定値とが１対１で対応付けられている。
【０１００】
第１制御部２１は、データテーブルに基づいて、変換部２５により変換されたデジタル値に対応する第２所定値を決定するように構成されている。また、第１制御部２１は、第１制御信号と第２制御信号との少なくとも一方を含む制御信号を定電流回路１６へ出力して、誤差増幅器１７の基準電圧の電圧値が第１所定値に対応する第２所定値となるように、点灯回路１０を制御するように構成されている。要するに、第１制御部２１は、第１制御信号と第２制御信号との少なくとも一方を含む制御信号を定電流回路１６へ出力して、電流Ｉａが一定となるように、点灯回路１０を制御するように構成されている。なお、「誤差増幅器１７の基準電圧」とは、誤差増幅器１７の非反転入力端子に印加される電圧を意味する。
【０１０１】
第２判定部２４は、変換部２５により所定期間に変換されたデジタル値が変動する周期の逆数で表される周波数（変動周波数）が臨界融合周波数以下であるか否かを判定するように構成されている。また、第２判定部２４は、変動周波数が臨界融合周波数以下である場合に、電流Ｉａに変動成分が含まれると判定するように構成されている。なお、「デジタル値の変動」は、変換部２５の分解能に起因する変動である。変換部２５により所定期間に変換されたデジタル値は、変換部２５によりサンプリングされた上記位相が量子化されることで離散値となる。よって、変換部２５により所定期間に変換されたデジタル値は、例えば、第１デジタル値と第２デジタル値とで交互に切り替わる場合があり、変動する可能性がある。また、デジタル値の変動要因としては、変換部２５の分解能以外に、変換部２５の変換精度、位相検出回路１３の検出精度等が挙げられる。さらに、デジタル値の変動要因としては、調光器６００の出力精度、交流電源５００からのノイズ等が挙げられる。
【０１０２】
第２制御部２２は、第２判定部２４により電流Ｉａに基本周波数の周波数成分が含まれないと判定された場合、点灯回路１０の定電流回路１６へ出力する制御信号を変更するように構成されている。この第２制御部２２は、第２判定部２４により電流Ｉａに基本周波数の周波数成分が含まれないと判定された場合、第１制御信号と第２制御信号との一方の制御信号を定電流回路１６の誤差増幅器１７へ出力するように構成されている。このとき、第１制御部２１は、データテーブル（変換部２５により変換されたデジタル値）に基づいて決定した制御信号を定電流回路１６へ出力するのを停止する。
【０１０３】
また、第２制御部２２は、第２判定部２４により変動周波数が臨界融合周波数以下であると判定された場合（電流Ｉａに変動成分が含まれると判定された場合）、点灯回路１０の定電流回路１６へ出力する制御信号を変更するように構成されている。この第２制御部２２は、第２判定部２４により変動周波数が臨界融合周波数以下であると判定された場合、第１制御信号と第２制御信号との一方の制御信号を定電流回路１６の誤差増幅器１７へ出力するように構成されている。このとき、第１制御部２１は、データテーブル（変換部２５により変換されたデジタル値）に基づいて決定した制御信号を定電流回路１６へ出力するのを停止する。
【０１０４】
さらに、第２制御部２２は、第２判定部２４により変動周波数が臨界融合周波数よりも大きいと判定された場合（電流Ｉａに変動成分が含まれないと判定された場合）、定電流回路１６へ出力する制御信号を変更しないように構成されている。すなわち、第１制御部２１は、第２判定部２４により変動周波数が臨界融合周波数よりも大きいと判定された場合、変換部２５により変換されたデジタル値（位相判定値）に基づいて決定した制御信号を定電流回路１６へ出力するように構成されている。
【０１０５】
以下、本実施形態の点灯装置１１０における制御回路２０の動作について、図９に基づいて説明する。
【０１０６】
第２判定部２４は、電流Ｉａに基本周波数の周波数成分が含まれるか否かを判定する（ステップＳ９）。
【０１０７】
第２制御部２２は、第２判定部２４により電流Ｉａに基本周波数の周波数成分が含まれないと判定された場合（ステップＳ９のＮｏ）、定電流回路１６へ出力する制御信号を変更する（ステップＳ１１）。そして、第２制御部２２は、第１制御信号と第２制御信号との一方の制御信号を定電流回路１６へ出力する（ステップＳ１２）。
【０１０８】
第２判定部２４は、電流Ｉａに基本周波数の周波数成分が含まれる場合（ステップＳ９のＹｅｓ）、電流Ｉａに変動成分が含まれるか否かを判定する（ステップＳ１０）。
【０１０９】
第２制御部２２は、第２判定部２４により電流Ｉａに変動成分が含まれると判定された場合（ステップＳ１０のＹｅｓ）、定電流回路１６へ出力する制御信号を変更する（ステップＳ１１）。そして、第２制御部２２は、第１制御信号と第２制御信号との一方の制御信号を定電流回路１６へ出力する（ステップＳ１２）。
【０１１０】
第１制御部２１は、第２判定部２４により電流Ｉａに変動成分が含まれないと判定された場合（ステップＳ１０のＮｏ）、位相判定値に基づいて、定電流回路１６へ出力する制御信号を決定する（ステップＳ１３）。そして、第１制御部２１は、決定した制御信号を定電流回路１６へ出力する（ステップＳ１２）。
【０１１１】
第２制御部２２は、第２判定部２４により電流Ｉａに変動成分が含まれると判定された場合、第１制御信号と第２制御信号との一方の制御信号を定電流回路１６の誤差増幅器１７へ出力しているが、この構成に限らない。
【０１１２】
第２制御部２２は、第２判定部２４により電流Ｉａに変動成分が含まれると判定された場合、電流Ｉａに変動成分が含まれないように、第１制御信号と第２制御信号とを交互に定電流回路１６の誤差増幅器１７へ出力してもよい。
【０１１３】
詳細に説明すると、第２制御部２２は、第２判定部２４により電流Ｉａに変動成分が含まれると判定された場合、第１制御信号及び第２制御信号の周期を一定周期で繰り返すように、第１制御信号と第２制御信号とを交互に定電流回路１６へ出力してもよい。この場合、第１制御信号及び第２制御信号の周期の逆数で表される周波数は、臨界融合周波数よりも大きい。
【０１１４】
また、第２制御部２２は、第２判定部２４により電流Ｉａに変動成分が含まれると判定された場合、第１出力期間Ｔ１と第２出力期間Ｔ２との比率が一定になるように、第１制御信号と第２制御信号とを交互に定電流回路１６へ出力してもよい。さらに、第２制御部２２は、第２判定部２４により電流Ｉａに変動成分が含まれると判定された場合、第１出力期間Ｔ１と第２出力期間Ｔ２とが同じになるように、第１制御信号と第２制御信号とを交互に定電流回路１６へ出力してもよい。
【０１１５】
ここにおいて、第２判定部２４により電流Ｉａに基本周波数の周波数成分が含まれないと判定された場合の動作については、第２判定部２４により電流Ｉａに変動成分が含まれると判定された場合の動作と同じであるため、説明を省略する。
【０１１６】
第２判定部２４は、変動周波数として、変換部２５により所定期間に変換されたデジタル値が変動する周期の逆数で表される周波数を用いているが、これに限らない。第２判定部２４は、変動周波数として、例えば、変換部２５により所定期間に変換されたデジタル値に処理（例えば、フィルタ処理等）を施して得られた値が変動する周期の逆数で表される周波数を用いてもよい。
【０１１７】
以上説明したように、本実施形態の点灯装置１１０において、点灯回路１０は、光源３００に流れる電流Ｉａを一定にする定電流回路１６と、外部からの調光信号の位相を検出する位相検出回路１３とを備えている。制御回路２０は、位相検出回路１３により検出された位相をサンプリングしてデジタル値に変換する変換部２５を備えている。制御回路２０は、第１制御信号と第２制御信号との少なくとも一方を含む制御信号を定電流回路１６へ出力して、電流Ｉａが一定となるように点灯回路１０を制御するように構成されている。判定回路２６は、変換部２５により所定期間に変換されたデジタル値が変動する周期の逆数で表される周波数が臨界融合周波数以下である場合に、電流Ｉａに変動成分が含まれると判定するように構成されている。
【０１１８】
この構成によっても、点灯装置１１０では、制御回路２０が点灯回路１０を制御するときに、光源３００から放射される光のちらつきを低減することが可能になる。
【０１１９】
なお、スイッチング素子Ｑ２は、エンハンスメント型のｎチャネルＭＯＳＦＥＴであるが、これに限らない。スイッチング素子Ｑ２は、例えば、ｎｐｎ型のバイポーラトランジスタ等であってもよい。
【０１２０】
また、点灯装置１１０は、電流検出回路１４を備えていないが、電流検出回路１４を備えていてもよい。この場合、電流検出回路１４は、定電流回路１６（より詳細には、抵抗Ｒ１）とコンデンサＣ２の低電位側の端子との間の経路に、配置される。これにより、点灯装置１１０では、定電流回路１６に流れる電流を監視することが可能となり、定電流回路１６での熱損失を抑制することが可能となる。なお、電流検出回路１４は、定電流回路１６とコンデンサＣ２の低電位側の端子との間の経路に配置せず、定電流回路１６の抵抗Ｒ１の両端電圧を検出してもよい。
【符号の説明】
【０１２１】
１０  点灯回路
１３  位相検出回路
１４  電流検出回路
１６  定電流回路
２０  制御回路
２５  変換部
２６  判定回路
１００  点灯装置
１１０  点灯装置
３００  光源
４００  照明器具
Ｑ１  スイッチング素子
Ｔ１  第１制御信号の出力期間
Ｔ２  第２制御信号の出力期間
【図１】
2017120722.tif 000004
【図２】
2017120722.tif 000005
【図３】
2017120722.tif 000006
【図４】
2017120722.tif 000007
【図５】
2017120722.tif 000008
【図６】
2017120722.tif 000009
【図７】
2017120722.tif 000010
【図８】
2017120722.tif 000011
【図９】
2017120722.tif 000012